(57)【要約】【課題】  複合針を備える横編機の針床を、確実にかつ効率良く洗浄することができる複合針用の針床洗浄装置を提供する。【解決手段】  横編機から取外して針床洗浄装置１の洗浄槽３に装着される針床２は、ノズル４から噴射される洗浄液や水などの液体で洗浄される。ノズル４は、針床２の表面に沿って移動可能なヘッド５に取付けられている。針床２の針溝には複合針が収容される。スライダーの位置を保持しながら、針本体の駆動用のバットにノズル４から液体を噴射し、針本体を針溝に対して移動させることで、針本体とスライダーとの相対位置を切替えて、確実かつ効率良く洗浄することができる。【選択図】図１
2020158914.tif 000002
【特許請求の範囲】
【請求項１】
複合針を備える針床を、針床の表面に向けて噴射する液体で洗浄する複合針用の針床洗浄装置において、
複合針の針本体およびスライダーの駆動用のバットのうちの少なくとも一方に、流体を噴射して針本体とスライダーとの相対位置を切替え可能なノズルと、
ノズルから流体を該バットに噴射して、針本体とスライダーとの相対位置が異なるように切替えながら、ノズルを移動させる位置切替え手段とを、
含むことを特徴とする複合針用の針床洗浄装置。
【請求項２】
前記ノズルから前記バットに噴射する前記流体は、前記洗浄に用いる液体である、
ことを特徴とする請求項１記載の複合針用の針床洗浄装置。
【請求項３】
前記針本体または前記スライダーの一方の前記バットを保持する位置保持手段を含み、
前記ノズルは、針本体またはスライダーの他方のバットに対して流体を噴射し、前記相対位置を切替える、
ことを特徴とする請求項１または２記載の複合針用の針床洗浄装置。
【請求項４】
前記スライダーは、前記針本体のフックよりも前記針床側に引き込まれる位置で進退してフックを開閉するとともに、２枚のブレードに分れる先端をフックよりも前記針床の外方に進出させることができ、
前記位置保持手段は、スライダーのバットをブレードの先端が針床外方に進出する位置に保持し、
前記位置切替え手段は、フックがブレードの先端よりもさらに外方に進出する位置と、フックがブレードの先端よりも針床側に引込まれる位置とを含むように、前記相対位置を切替える、
ことを特徴とする請求項３記載の複合針用の針床洗浄装置。
【請求項５】
前記針床は、洗浄治具に取付けて洗浄され、
洗浄治具は、前記位置保持手段によって保持されるスライダーのブレードの先端を前記針床の外方に進出する位置で収容するスリットを有する保護部材を含む、
ことを特徴とする請求項４記載の複合針用の針床洗浄装置。
【発明の詳細な説明】
【技術分野】
【０００１】
本発明は、複合針を備える横編機の針床を洗浄するための複合針用の針床洗浄装置に関する。
【背景技術】
【０００２】
従来から、横編機の針床を、横編機から取外して洗浄するための針床洗浄装置が提案されている（たとえば特許文献１参照）。針床は、歯口に沿って長手方向に延び、長手方向に直交する進退方向に編針を収容する針溝が形成される。編針は、先端にフックを有し、フックを歯口に進退させて、歯口でフックに供給される編糸を針床に引込みながら編地を編成する。編地を編成する際に、編針と針溝との間などに、編糸の繊維の毛羽などの塵埃が蓄積するおそれがある。針床洗浄装置は、洗浄槽と、洗浄槽内で編針を収容した状態の針床の表面に洗浄液などの液体を噴射するノズル、およびノズルを移動させる移動手段とを備える。針床に蓄積した塵埃の除去は、ノズルを針床の表面に沿って移動させ、ノズルから液体を噴射することで、行われる。
【０００３】
編地の編成は、フックの開口部を開閉することを伴って行われる。特許文献１の針床洗浄装置は、べらを揺動させてフックの開閉を行わせるべら針を備える針床を洗浄の対象としている。横編機は、フックを有する針本体に対して摺動するスライダーの先端でフックを開閉する複合針（たとえば特許文献２参照）を使用するものもある。複合針を備える横編機は、フック近傍の塵埃を気体の噴射で取り除くクリーナーを取付けて清掃することが提案されている（たとえば特許文献３参照）。
【０００４】
特許文献３のクリーナーは、横編機に装着されている状態の針床に取付けて使用し、針床の長手方向に手動で摺動移動可能な基体にエアノズルとカムとを備える。カムは、針本体とスライダーとにそれぞれ設けられるバットに作用して、歯口に進退するように駆動する。エアノズルは、カムによって駆動されて開閉するフックの開口部近傍に、長手方向で複数個が並ぶように配置される。針床の清掃は、基体を移動させてカムで針本体とスライダーとを異なる相対位置に切替えながら、エアノズルからフック近傍にエアを噴射して塵埃を取り除くことで行われる。
【先行技術文献】
【特許文献】
【０００５】
【特許文献１】欧州特許第２８４１６３２Ｂ１号公報
【特許文献２】特許第２９４６３２３号公報
【特許文献３】特開２０１１−１６２８９４号公報
【発明の概要】
【発明が解決しようとする課題】
【０００６】
複合針を対象とする特許文献３のクリーナーは、横編機に取付けて使用するので、洗浄液などの液体を使用することができず、またフック近傍の塵埃を取り除くだけである。特許文献１の針床洗浄装置は、特許文献３のクリーナーのように、針本体とスライダーとを異なる相対位置に切替えることができない。複合針は、針本体とスライダーとが摺動する部分などを有し、相対位置を切替えて、摺動部分も確実に洗浄する必要がある。ただし、相対位置の切替えを駆動用のバットに溝カムを作用させて行うと、溝カムで覆われるバットの近傍は、洗浄することができなくなってしまう。
【０００７】
本発明の目的は、複合針を備える横編機の針床を、確実にかつ効率良く洗浄することができる複合針用の針床洗浄装置を提供することである。
【課題を解決するための手段】
【０００８】
本発明は、複合針を備える針床を、針床の表面に向けて噴射する液体で洗浄する複合針用の針床洗浄装置において、
複合針の針本体およびスライダーの駆動用のバットのうちの少なくとも一方に、流体を噴射して針本体とスライダーとの相対位置を切替え可能なノズルと、
ノズルから流体を該バットに噴射して、針本体とスライダーとの相対位置が異なるように切替える位置切替え手段とを、
含むことを特徴とする複合針用の針床洗浄装置である。
【０００９】
また本発明で、前記ノズルから前記バットに噴射する前記流体は、前記洗浄に用いる液体である、
ことを特徴とする。
【００１０】
また本発明は、前記針本体または前記スライダーの一方の前記バットを保持する位置保持手段を含み、
前記ノズルは、針本体またはスライダーの他方のバットに対して流体を噴射し、前記相対位置を切替える、
ことを特徴とする。
【００１１】
また本発明で、前記スライダーは、前記針本体のフックよりも前記針床側に引き込まれる位置で進退してフックを開閉するとともに、２枚のブレードに分れる先端をフックよりも前記針床の外方に進出させることができ、
前記位置保持手段は、スライダーのバットをブレードの先端が針床外方に進出する位置に保持し、
前記位置切替え手段は、フックがブレードの先端よりもさらに外方に進出する位置と、フックがブレードの先端よりも針床側に引込まれる位置とを含むように、前記相対位置を切替える、
ことを特徴とする。
【００１２】
また本発明で、前記針床は、洗浄治具に取付けて洗浄され、
洗浄治具は、前記位置保持手段によって保持されるスライダーのブレードの先端を前記針床の外方に進出する位置で収容するスリットを有する保護部材を含む、
ことを特徴とする。
【発明の効果】
【００１３】
本発明によれば、複合針を備える針床は、表面に向けて噴射する液体で洗浄することができる。針本体とスライダーとの相対位置を切替えて洗浄するので、摺動部分に蓄積する塵芥などは、確実に洗浄される。相対位置の切替えは、ノズルからバットに流体を噴射して行い、駆動用のバット付近を覆うカムなどを用いないので、複合針を搭載する針床は、確実にかつ効率良く洗浄される。
【００１４】
また本発明によれば、針床の洗浄に用いる液体は、ノズルからバットに噴射して針本体とスライダーとの相対位置の切替えにも兼用させることができる。兼用させることは、装置の簡略化と低コスト化とに寄与する。
【００１５】
また本発明によれば、針本体とスライダーとの一方の位置を保持するので、ノズルから他方のバットにのみ流体を噴射して、針本体とスライダーとを異なる相対位置となるように切替えることができる。針本体とスライダーとの一方は、バットが位置保持手段で保持されるので、他方の移動で連れ動きすることはなく、確実な相対位置の切替えが可能となる。
【００１６】
また本発明によれば、針床の外方にスライダーの先端のブレードを進出させる位置に保持する。針本体のフックをブレードの先端よりもさらに外方に進出させることは、針床の外方に針本体が出ている状態での洗浄を可能にする。フックをブレードの先端よりも針床側に引込まれる位置に切替えることは、ブレードの先端が２枚に分れてフックよりも針床の外方に出ている状態にして、ブレードの確実な洗浄を可能にする。針本体の移動は、スライダーに対する相対位置の切替えと、針床の針溝に対する相対位置の切替えとを同時に行うことになり、効率良い切替えを可能にする。
【００１７】
また本発明によれば、洗浄治具の保護部材は針床の外方に進出させた位置のブレードの先端を収容するスリットを有する。針本体のフックをブレードの先端よりも外方に進出させれば、ブレードを含む針本体がスリットに収容される。ブレードおよび針本体は、洗浄治具に取付けた針床から外方に進出させて洗浄する際に、細ゲージの複合針で板厚が薄くなっても、噴射する液体で振れないように保護部材で保護することができる。
【図面の簡単な説明】
【００１８】
【図１】図１は、本発明の一実施例である針床洗浄装置１の概略的な外観構成を示す簡略化した斜視図である。
【図２】図２は、図１の針床洗浄装置１に、洗浄する針床２を洗浄治具１１に取付けて装着している状態を、簡略化した断面で示す側面図である。
【図３】図３は、図２の針床２を洗浄治具１１に取付けた状態の平面図である。
【図４】図４は、図２の洗浄治具１１の構成を示す平面図である。
【図５】図５は、図２の口蓋２ｄの構成を示す、平面図および側面断面図である。
【図６】図６は、図１の針床洗浄装置１で針床２を洗浄する際に、ノズル４を備えるヘッド５の移動経路を示す簡略化した平面図である。
【図７】図７は、図１のノズル４からの液体の噴射で複合針２０の針本体２１のバット２１ｂを駆動して、針本体２１の針溝２ｃに対する位置を切替える状態を示す簡略化した側面断面図である。
【図８】図８は、図６の保護部材１５によって複合針２０の一部を保護する状態を模式的に示す簡略化した平面図である。
【発明を実施するための形態】
【００１９】
以下、図１から図８は、本発明の一実施例である針床洗浄装置１の構成と使用状態の説明とに関する。各図について順次説明し、説明済みの対応部分は，同一の参照符を付して示し、重複する説明を省略する場合がある。また便宜上、説明対象の図には記載されていないか、記載されていても符号が付されていない部分は、他の図に記載される参照符で説明される場合がある。
【実施例】
【００２０】
図１は、本発明の一実施例である針床洗浄装置１の概略的な外観構成を示す。針床洗浄装置１は、横編機から編針を備える状態で取外した針床２を装着して洗浄する洗浄槽３を含む。洗浄槽３に装着される針床２は、ノズル４から噴射される洗浄液や水などの液体で洗浄される。ノズル４は、ヘッド５に取付けられている。ヘッド５は、縦ガイド６に沿って針床２の進退方向２Ｙ、横ガイド７に沿って針床２の長手方向２Ｘに移動する。ノズル４は、ヘッド５に対して長手方向２Ｘの軸線回り揺動可能であり、針床２の上面に向かう噴射方向の角度が可変である。針床洗浄装置１の筐体８の上部は、透明カバー９で開閉することができる。ノズル４からの液体の噴射や噴射方向の変更、およびヘッド５の移動は、制御器１０に予め設定しておくプログラムによって制御される。本実施例は、洗浄槽３への針床２の装着を、洗浄治具１１を介して行うけれども、針床２を洗浄槽３に直接取付けるようにしてもよい。
【００２１】
図２は、図１の針床洗浄装置１に、洗浄する針床２を洗浄治具１１に取付けて装着している状態を、簡略化した断面で示す。図１の針床２は、ニードルプレート２ａが長手方向２Ｘに一定のピッチで並ぶ。ニードルプレート２ａ間は、長手方向２Ｘに直交して進退方向２Ｙに延びる針溝２ｃとなる。横編機で針床２は、編針のフックが編糸を供給されて編地を編成する歯口側が高くなるように傾斜して取付けられているけれども、針床洗浄装置１では歯口側が低くなるように傾斜して装着される。すなわち、図１の進退方向２Ｙの正面側は、低くなるように傾斜して装着されている針床２の歯口側であり、歯口に沿って針溝２ｃの端部が並ぶ。各ニードルプレート２ａは、下部が基板２ｂに設けられるプレート溝に挿入されて支持されている。筐体８内で、図１の長手方向２Ｘに設けられる支持材８ａ，８ｂは、針床２を取付けた洗浄治具１１を支持する。歯口側が低くなる状態で洗浄するので、ノズル４から針床２に噴射した液体は、針溝２ｃに沿って歯口側の端部から落下し易くなる。なお、以下の説明では、進退方向２Ｙに沿って針床２から出て横編機での歯口側に進出する方向を、「針床の外方」として示す。
【００２２】
洗浄治具１１は、図１の長手方向２Ｘの両側に端板１２が設けられる。端板１２は、運搬などの作業時に手で掴むことができる取手１３を有する。両側の端板１２間は、下枠１４、保護部材１５および上枠１６で連結される。針床２は、外方の下枠１４との間に間隔を空けるように取付けられる。洗浄治具１１は、保護部材１５、バット押え材１７および受け材１８をさらに含む。保護部材１５は、針床２の外方に対向して設けられる。受け材１８は、端板１２の裏面側に設けられ、支持材８ａ，８ｂからの支持を受ける。
【００２３】
針床２の針溝２ｃに収容される複合針２０は、針本体２１とスライダー２２とを有する。針本体２１は、歯口側の先端にフック２１ａを有し、基端に駆動用のバット２１ｂを有するニードルジャックが連結され、さらに基端側にセレクタを経て末尾には磁力を利用する選針用の接極子２１ｃが連結される。接極子２１ｃは、上枠１６で覆われるので、洗浄中に噴射される液体から保護される。スライダー２２のブレード２２ａの先端がフック２１ａを開閉する動作は、バット２２ｂへの駆動で行われる。スライダー２２は、針本体２１に形成されるスライダー溝２１ｄ内を摺動する。ブレード２２ａは、２枚に分れる先端がフック２１ａを越えるように、針床２の外方に進出させることもできる。針床２の横編機への着脱は、複合針２０を針溝２ｃに引込んだ状態で行う。図２のような洗浄時に、バット押え材１７は、バット２２ｂの基端側を押して、針床２の外方に進出するブレード２２ａが針床２に戻らないように規制し、スライダー２２を保持する位置保持手段となる。保護部材１５は、洗浄時に、針床２から外方に進出したフック２１ａやブレード２２ａを含む複合針２０の一部が噴射される液体で振れないように保護する。ニードルプレート２ａの歯口側の上部に設ける口蓋２ｄは、複合針２０が針溝の上方に抜けないように、図１の長手方向２Ｘに貫通する。ブレード２２ａに設ける突起２２ｃは、口蓋２ｄの基端側に当接すると、スライダー２２の歯口側への進出を阻止する。すなわち、本実施例の洗浄は、ブレード２２ａが針床２の外方に最も進出している位置を、口蓋２ｄとバット押え材１７とで保持して行う。本実施例の洗浄は、後述する位置切替えで、針床２の外方に複合針２０のフック２１ａが突出する状態にしても行われる。なお、口蓋２ｄは、横編機に取付けられる針床２では孔無しの帯状金属が使用されるけれども、図５に関して後述するような、洗浄用に孔有りのものに交換される。
【００２４】
図３は、図２の針床２を洗浄治具１１に取付けた状態を示す。図４は、洗浄治具１１の構成を示す。バット押え材１７は、スライダー２２を突起２２ｃが口蓋２ｄに当接するまで針床２の外方に進出させる位置でバット２２ｂの基端側を規制する位置に合せる。バット押え材１７に替えて、バット２２ｂの基端側と先端側との両方を押えるような部材を使用すれば、突起２２ｃと口蓋２ｄとの当接に依らず、単独でスライダー２２の位置を保持することができる。保護部材１５には、後述するようなスリット１５ａが針溝に対応する位置に設けられており、針床２の外方に進出するブレード２２ａの先端の位置付近を保護する。ただし、図８に関して後述するように、針本体２１の相対位置は、フック２１ａが保護部材１５よりも進出して外方に突出する位置と、フック２１ａが針床２側に引込まれて相対的に２枚に分れるブレード２２ａが外方に突出してスリット１５ａ内で広がる位置とに切替えられる。このような切替えは、針本体２１およびブレード２２ａの確実な洗浄を可能にする。針本体の移動は、スライダーに対する相対位置の切替えと、針床の針溝に対する相対位置の切替えとを同時に行うことになり、効率良い切替えと摺動部分に蓄積する塵芥などの確実な洗浄とを可能にする。
【００２５】
図５は、図２の口蓋２ｄの構成を、（ａ）の平面図、（ｂ）の側面断面図でそれぞれ示す。（ｂ）の断面図は、（ａ）の切断線Ｂ−Ｂに対応する。（ａ）に示すように、口蓋２ｄは、抜き孔２ｅを有し、（ａ）の横方向に長い場合、複数枚を組合せて使用する。隣接する口蓋２ｄ間の境界２ｆは縦方向ではなく、傾斜している。抜き孔２ｅは、洗浄時にノズル４から噴射される液体が口蓋２ｄで覆われる部分でも可能な限り複合針２０にかかるように設けられる。
【００２６】
図６は、図１の針床洗浄装置１で針床２を洗浄する際に、ノズル４を備えるヘッド５の移動経路の例を簡略化して示す。大略的に矩形で、長手方向２Ｘに延びる形状の針床２の表面に向けて、ノズル４から液体を噴射させながらヘッド５を往復移動させ、往復移動の片道移動毎に、進退方向２Ｙに一定距離移動ずつ移動することを繰り返す。ノズル４から噴射する液体は、洗浄剤を含む洗浄液や水を用いることができる。ノズル４は、複数設けることもできる。ノズル４または他に設けるノズルから、液体ばかりではなく、洗浄後に針床２側に付着した液体を飛散させる気体を噴射させることもできる。また、水を噴射している場合、熱風を当てて乾燥させることもできる。
【００２７】
図７は、図１のノズル４からの液体の噴射で複合針２０のニードルジャックのバット２１ｂを駆動して、噴射方向の切替えで針本体２１を針溝２ｃに沿って進退させて位置を切替える状態を示す。（ａ）は、針本体２１を、フック２１ａが針床２の外方に突出している位置から、針床２に引込む方向に駆動する状態を示す。（ｂ）は、針本体２１を、フックが針床２に引込まれている位置から、フック２１ａが針床２の外方に進出するように駆動する状態を示す。ノズル４からバット２１ｂに噴射する液体は、バット２１ｂを駆動して針本体２１を針溝２ｃに沿って移動させることができる。すなわち、ノズル４は、ヘッド５で長手方向に移動させながら、針床２に備える複合針２０の針本体２１を針溝２ｃに対して移動させて位置を切替える。針本体２１の位置を針溝２ｃに対して切替えることは、バット押え材１７でスライダー２２のバット２２ｂの位置を保持しているので、針本体２１とスライダー２２との相対位置を切替えることになる。このような相対位置の切替えで、針本体２１と針溝２ｃとの間、およびスライダー２２とスライダー溝２１ｄとの間の摺動部分および駆動用のバット２１ｂを含む針床２の全体は、確実にかつ効率良く洗浄される。なお、位置切替えの際には、長手向２Ｘの移動を洗浄時よりも低速にしたり、ノズル４からの液体の噴射圧を高圧にしたりすることもできる。洗浄用に設けるノズル４で位置切替えを行うことは、洗浄用と位置切替え用の液体とが兼用され、位置切替え用の他の構成を不要とし、装置の簡略化と低コスト化とを図ることに寄与する。
【００２８】
本実施例でのノズル４からの流体の噴射による位置の切替えは、ノズル４を長手方向に移動させるヘッド５と、ノズル４からの流体の噴射、ノズル４の向き、およびヘッド５の移動を制御する制御器１０とを含む位置切替え手段によって行われる。ノズル４を洗浄と位置切替えで兼用する場合、位置切替えは、図６のような針床２の表面全体に対する洗浄の途中で、ノズル４の位置がバット２１ｂを駆動可能になる位置で行うことができる。切替えの前後で、それぞれ針床２の表面全体を洗浄してもよい。洗浄を、ノズル４から噴射する流体と異なる液体で行う場合も、位置切替えの前後で、針床２の表面全体をそれぞれ洗浄すればよい。
【００２９】
位置切替え用のノズル４は、洗浄用の液体を噴射するノズルとは別に設けて、洗浄用の液体とは異なる流体、たとえば洗浄用の流体を飛散させる気体や、駆動専用の液体や気体を噴射してバット２１ｂを駆動することも可能である。また、針本体２１とスライダー２２との相対位置を切替えるためには、針本体２１を駆動するバット２１ｂを保持して、スライダー２２を駆動するバット２２ｂにノズル４から流体を噴射するようにしてもよい。すなわち、複合針２０の針本体２１およびスライダー２２の駆動用のバット２１ｂ，２２ｂのうちの一方を保持し、他方にノズル４から流体を噴射して針本体２１とスライダー２２との相対位置を切替え可能であればよい。針本体２１とスライダー２２との一方は、バット２１ｂ，２２ｂが位置保持手段で保持されるので、他方の移動で連れ動きすることはなく、確実な相対位置の切替えが可能となる。さらに、バット２１ｂ，２２ｂの保持は行わず、少なくとも一方のバット２１ｂ，２２ｂをノズル４からの流体の噴射で駆動してもよい。たとえば本実施例で、バット押え材１７などでバット２１ｂ，２２ｂの一方を保持しないで、他方を駆動する場合、針本体２１とスライダー２２とが連れ動きで追従して相対位置の切替えができないおそれがある。ただし、本実施例で突起２２ｃが口蓋２ｄに当接すればスライダー２２が阻止されるので、バット２１ｂへの駆動で針本体２１のみを進出させることは可能である。また、スライダー溝２１ｄに対するスライダー２２の摺動抵抗よりも針溝２ｃに対する針本体２１の摺動抵抗を大きくしておけば、バット２２ｂへの駆動でスライダー２２の針本体２１に対する相対位置を切替えることもできる。
【００３０】
洗浄対象の針床２は、ニードルプレート２ａに、上支持部２ｇが設けられているものを使用する場合も想定される。上支持部２ｇは、上針床が設けられる２段ベッド横編機の下針床などに用いられる。上支持部２ｇを有する針床２の洗浄は、ノズル４の高さを上支持部２ｇよりも高くしておくか、高さを変えて上支持部２ｇを避けられるようにしておけば可能である。
【００３１】
図８は、図２の保護部材１５によって複合針２０の先端部を保護する状態を模式的に示す。図７の（ａ）および（ｂ）の状態は、複合針２０ａおよび複合針２０ｂにそれぞれ対応する。針本体２１は、スライダー２２を収容するスライダー溝２１ｄを有する。本実施例で、ブレード２２ａの進出位置は保持され、針本体２１の進退位置は切替えられる。洗浄治具１１の下枠１４は、複合針２０ａのフック２１ａを収容する収容孔１４ａを有する。複合針２０ａは、針床２の外方に、ブレード２２ａよりも突出するフック２１ａが収容孔１４ａに収容され、フック２１ａに続く針本体２１の針幹部分が、スライダー溝２１ｄ内に留まるブレード２２ａとともにスリット１５ａで保護される。複合針２０ｂは、針本体２１が針床２側に引込まれ、相対的にブレード２２ａの先端がフック２１ａを越えて突出する状態となる。２枚のブレード２２ａは、スライダー溝２１ｄの幅方向である図の上下方向に付勢されており、スリット１５ａ内で幅方向に開く状態で保護される。保護部材１５は、針床２の外方に突出してスリット１５ａに収容される部分の複合針２０を保護する。針床２に設ける針溝２ｃの配列ピッチが小さくなる細ゲージの横編機に使用する複合針２０は、針本体２１の幅が小さくなり、ブレード２２ａの板厚が薄くなるけれども、保護部材１５でノズル４から噴射する液体による針本体２１やブレード２２ａの振れを防ぐことができる。
【００３２】
以上で説明している本実施例で、針床洗浄装置１は、特許文献２に示すような複合針２０を備える針床２を対象としている。複合針として、たとえば特公平４−６６９４１号に開示されているようものを洗浄の対象とすることもできる。
【符号の説明】
【００３３】
１  針床洗浄装置
２  針床
２ａ  ニードルプレート
２ｃ  針溝
２ｄ  口蓋  
３  洗浄槽
４  ノズル
５  ヘッド
１０  制御器
１１  洗浄治具
１２  端板
１４  下枠
１５  保護部材
１５ａ  スリット
１６  上枠
１７  バット押え材
２０  複合針
２１  針本体
２１ａ  フック
２１ｂ，２２ｂ  バット
２１ｄ  スライダー溝
２２  スライダー
２２ａ  ブレード
【図１】
2020158914.tif 000003
【図２】
2020158914.tif 000004
【図３】
2020158914.tif 000005
【図４】
2020158914.tif 000006
【図５】
2020158914.tif 000007
【図６】
2020158914.tif 000008
【図７】
2020158914.tif 000009
【図８】
2020158914.tif 000010